(57)【要約】【課題】  表示面積が制限されていても、運転者の注意をより喚起することが可能な計器装置を提供するものである。【解決手段】  少なくとも１つ以上の計測項目を表示する表示素子からなる表示部４を備えた計器装置１において、表示部４が前記計測項目の変化を表示する複数のセグメントからなるバーグラフ表示部５１、６１と、バーグラフ表示部５１、６１の近傍に設けられるとともにバーグラフ表示部５１、６１の表示範囲を示す目盛部５２、６２とを表示し、バーグラフ表示部５１、６１で表示する計測項目が所定の値を超えた時に、バーグラフ表示部５１、６１と目盛部５２、６２との少なくともどちらか一方が点滅表示するものである。【選択図】  図２
2006153719.tif 000002
【特許請求の範囲】
【請求項１】
少なくとも１つ以上の計測項目を表示する表示素子からなる表示部を備えた計器装置において、前記表示部が前記計測項目の変化を表示する複数のセグメントからなるバーグラフ表示部と、前記バーグラフ表示部の近傍に設けられるとともに前記バーグラフ表示部の表示範囲を示す目盛部とを表示し、前記バーグラフ表示部で表示する前記計測項目が所定の値を超えた時に、前記バーグラフ表示部と前記目盛部との少なくともどちらか一方が点滅表示することを特徴とする計器装置。
【請求項２】
少なくとも１つ以上の計測項目を表示する表示素子からなる表示部を備えた計器装置において、前記表示部が前記計測項目の変化を表示する複数のセグメントからなるバーグラフ表示部と、前記バーグラフ表示部の近傍に設けられるとともに前記バーグラフ表示部の表示範囲を示す目盛部とを表示し、前記バーグラフ表示部で表示する前記計測項目が所定の値を超えた時に、前記バーグラフ表示部と前記目盛部とが同時に点滅表示することを特徴とする計器装置。
【請求項３】
少なくとも１つ以上の計測項目を表示する表示素子からなる表示部を備えた計器装置において、前記表示部が前記計測項目の変化を表示する複数のセグメントからなるバーグラフ表示部と、前記バーグラフ表示部の近傍に設けられるとともに前記バーグラフ表示部の表示範囲を示す目盛部とを表示し、前記バーグラフ表示部で表示する前記計測項目が所定の値を超えた時に、前記バーグラフ表示部と前記目盛部とが交互に点滅表示することを特徴とする計器装置。
【請求項４】
前記計測項目が前記車両のエンジン冷却水温を表示するものであることを特徴とする請求項１から３のいずれかに記載の計器装置。
【請求項５】
前記計測項目が前記車両の燃料の残量を表示するものであることを特徴とする請求項１から３のいずれかに記載の計器装置。
【請求項６】
前記表示素子が液晶表示素子あるいは有機エレクトロルミネセンス表示素子からなることを特徴とする請求項１から３のいずれかに記載の計器装置。
【発明の詳細な説明】
【技術分野】
【０００１】
本発明は、計器装置に関し、特に、自動車や自動二輪車及び小型船舶などに用いられる計器装置に関する。
【背景技術】
【０００２】
従来の車両の速度や車両のエンジン回転数などの計測項目を表示する計器装置は、特に自動二輪車用の計器装置は、自動二輪車の車体前方、例えば、ハンドルやその近くに設けられていた（例えば、特許文献１参照）。
【特許文献１】特開２０００−１９０８８７号公報
【発明の開示】
【発明が解決しようとする課題】
【０００３】
自動二輪車用の計器装置は、自動車用の計器装置に比べて、計器装置を取り付ける位置に制限があり、また、自動二輪車は、運転者が自動二輪車に跨って乗車するので、運転者に姿勢によっては、計器装置が運転者の視界の下方に位置することになるため、視認性に影響を及ぼす場合があった。また、計器装置を配置するための空間も自動車などに比べて小さいので、計器装置もコンパクトにならざるを得ず、視認性に影響を及ぼす場合があった。
【０００４】
例えば、計測表示する項目である燃料の残量やエンジンの冷却水温が所定値を超えた時に警告表示を表示する場合、計器装置における表示面積も小さく制限されるため、警告表示を行っていても、運転者が気づきにくいという問題があった。
【０００５】
そこで、本発明は、この点に鑑みてなされたもので、その主な目的は、表示面積が制限されていても、運転者の注意をより喚起することが可能な計器装置を提供するものである。
【課題を解決するための手段】
【０００６】
本発明は前記目的を達成するため、少なくとも１つ以上の計測項目を表示する表示素子からなる表示部を備えた計器装置において、前記表示部が前記計測項目の変化を表示する複数のセグメントからなるバーグラフ表示部と、前記バーグラフ表示部の近傍に設けられるとともに前記バーグラフ表示部の表示範囲を示す目盛部とを表示し、前記バーグラフ表示部で表示する前記計測項目が所定の値を超えた時に、前記バーグラフ表示部と前記目盛部との少なくともどちらか一方が点滅表示するものである。
【０００７】
また、少なくとも１つ以上の計測項目を表示する表示素子からなる表示部を備えた計器装置において、前記表示部が前記計測項目の変化を表示する複数のセグメントからなるバーグラフ表示部と、前記バーグラフ表示部の近傍に設けられるとともに前記バーグラフ表示部の表示範囲を示す目盛部とを表示し、前記バーグラフ表示部で表示する前記計測項目が所定の値を超えた時に、前記バーグラフ表示部と前記目盛部とが同時に点滅表示するものである。
【０００８】
また、少なくとも１つ以上の計測項目を表示する表示素子からなる表示部を備えた計器装置において、前記表示部が前記計測項目の変化を表示する複数のセグメントからなるバーグラフ表示部と、前記バーグラフ表示部の近傍に設けられるとともに前記バーグラフ表示部の表示範囲を示す目盛部とを表示し、前記バーグラフ表示部で表示する前記計測項目が所定の値を超えた時に、前記バーグラフ表示部と前記目盛部とが交互に点滅表示するものである。
【０００９】
また、前記計測項目が前記車両のエンジン冷却水温を表示するものである。
【００１０】
また、前記計測項目が前記車両の燃料の残量を表示するものである。
【００１１】
また、前記表示素子が液晶表示素子あるいは有機エレクトロルミネセンス表示素子からなるものである。
【発明の効果】
【００１２】
以上、本発明によれば、初期の目的を達成することができ、表示面積が制限されていても、運転者の注意をより喚起することが可能な計器装置を提供することができる。
【発明を実施するための最良の形態】
【００１３】
本発明の計器装置１は、少なくとも１つ以上の計測項目を表示する表示素子からなる表示部４を備えた計器装置１において、表示部４が前記計測項目の変化を表示する複数のセグメントからなるバーグラフ表示部５１、６１と、バーグラフ表示部５１、６１の近傍に設けられるとともにバーグラフ表示部５１、６１の表示範囲を示す目盛部５２、６２とを表示し、バーグラフ表示部５１、６１で表示する計測項目が所定の値を超えた時に、バーグラフ表示部５１、６１と目盛部５２、６２との少なくともどちらか一方が点滅表示するものである。このように構成したことによって、表示面積が制限されていても、運転者の注意をより喚起することが可能な計器装置を提供することができる。また、点滅表示によって、表示に動きのある変化を与えることで、表示面積が制限されていても、運転者の注意をより喚起することが可能な計器装置を提供することができる。
【００１４】
また、少なくとも１つ以上の計測項目を表示する表示素子からなる表示部４を備えた計器装置１において、表示部４が前記計測項目の変化を表示する複数のセグメントからなるバーグラフ表示部５１、６１と、バーグラフ表示部５１、６１の近傍に設けられるとともにバーグラフ表示部５１、６１の表示範囲を示す目盛部５２、６２とを表示し、バーグラフ表示部５１、６１で表示する計測項目が所定の値を超えた時に、バーグラフ表示部５１、６１と目盛部５２、６２とが同時に点滅表示するものである。このように構成したことによって、点滅表示を行う面積が増えるので、表示面積が制限されていても、運転者の注意をより喚起することが可能な計器装置を提供することができる。
【００１５】
また、少なくとも１つ以上の計測項目を表示する表示素子からなる表示部４を備えた計器装置１において、表示部４が前記計測項目の変化を表示する複数のセグメントからなるバーグラフ表示部５１、６１と、バーグラフ表示部５１、６１の近傍に設けられるとともにバーグラフ表示部５１、６１の表示範囲を示す目盛部５２、６２とを表示し、バーグラフ表示部５１、６１で表示する計測項目が所定の値を超えた時に、バーグラフ表示部５１、６１と目盛部５２、６２とが交互に点滅表示するものである。このように構成したことによって、点滅表示を行う面積が増えるとともに、交互に点滅表示することで、より表示に動きのある変化を与えることができ、表示面積が制限されていても、運転者の注意をより喚起することが可能な計器装置を提供することができる。
【００１６】
また、前記計測項目が前記車両のエンジン冷却水温を表示するものである。このように構成したことによって、エンジン冷却水温の上昇に伴うエンジンの損傷を防止することが可能な計器装置を提供することができる。
【００１７】
また、前記計測項目が前記車両の燃料の残量を表示するものである。このように構成したことによって、燃料切れによる走行不能を防止することが可能な計器装置を提供することができる。
【００１８】
また、表示素子が液晶表示素子あるいは有機エレクトロルミネセンス表示素子からなるものである。このように構成したことによって、部品点数が少なく安価な計器装置を提供することができる。
【実施例１】
【００１９】
以下、図１〜図５を用いて、本発明の第１実施例を説明する。
【００２０】
本実施例の計器装置１は、自動二輪車に用いられる計器装置１である。この計器装置１は、複数の計測項目を表示するものである。この計器装置１の中央には、エンジンの回転数を表示するエンジン回転計２を備えている。このエンジン回転計２は指針を備えた計器である。また、計器装置１に向かって左側には、車両の速度を表示する速度計３を備えている。この速度計３もエンジン回転計２と同様に指針を備えた計器である。また、計器装置１に向かって右側には、液晶表示素子からなる表示部４を備えている。この液晶表示素子からなる表示部４は、ツイステッドネマチック液晶からなり、ポジ表示で、照明を点灯しない時は、液晶表示素子の背面に設けた反射板からの反射光を利用し、照明を点灯した場合は、背後からの透過光によって照明されるものである。この表示部４は、車両の状態を表示するものとして、車両のエンジンの冷却水温を表示する水温計５や車両の燃料タンク内の燃料の残量を表示する燃料残量計６などの計測項目を表示することができるとともに、車両の状態とは関係のない時刻などの計測項目を表示することもできる。
【００２１】
表示部４の水温計５や燃料残量計６は、それぞれ計測した車両の状態の変化を表示する複数のセグメントからなるバーグラフ表示部５１、６１と、バーグラフ表示部５１、６１の近傍に設けられるとともにバーグラフ表示部５１、６１の表示範囲を示す複数のセグメントからなる目盛部５２、６２とを備えている。これらバーグラフ表示部５１、６１と目盛部５２、６２は円弧状に表示部４に設けられている。なお、本実施例では、目盛部５２、６２はバーグラフ表示部５１、６１の内側にのみ設けられている。
【００２２】
また、水温計５と燃料残量計６の目盛部５２、６２の内側には、それぞれ、水温計５と燃料残量計６を示す記号５３、６３と、目盛部５２、６２に対応した文字５４、６４とを備えている。
【００２３】
以上の、バーグラフ表示部５１、６１と、目盛部５２、６２と、記号５３、６３及び文字５４、６４は、すべて点灯、消灯制御可能な電極で形成されている。また、本実施例では、表示部４の液晶はポジ表示であり、図面では、バーグラフ表示部５１、６１と、目盛部５２、６２と、記号５３、６３及び文字５４、６４の中は白抜きであるが、実際は、中を黒く塗りつぶしたように視認され、表示を行う部分が黒く表示され、表示に関係しなければ、表示部４の背景と同色となるものである。よって、車両のイグニッションスイッチ（電源）がオフの状態では、図３に示すように、表示部４には何も表示されない。車両のイグニッションスイッチ（電源）がオンの状態では、図４に示すように、バーグラフ表示部５１、６１以外の目盛部５２、６２、記号５３、６３と、文字５４、６４は、すべて点灯し、バーグラフ表示部５１、６１を構成するセグメントも現在の車両状態によって点灯する。図４の場合では、水温計５は、バーグラフ表示部５１の「Ｃ」側のセグメントが２つ点灯し、燃料残量計６は、バーグラフ表示部６１の「Ｅ」側のセグメントが５つ点灯している。
【００２４】
次に、水温計５を用いて警告表示を説明する。本実施例では、図５で示すように、水温計５のセグメントが９つまで点灯すると、エンジン冷却水温が高温となっており、警告表示すべき所定の温度（値）を超えたので、警告表示を行う。本実施例では、バーグラフ表示部５１が点灯（図５参照）と消灯（図６参照）を繰り返して点滅表示する。この時、目盛部５２は点滅表示せず点灯し続ける。
【００２５】
このように構成したことによって、表示に動きのある変化を与えることで、表示面積が制限されていても、運転者の注意をより喚起することが可能な計器装置を提供することができる。
【００２６】
なお、点滅表示する部分は、バーグラフ表示部５１に限定されるものではなく、バーグラフ表示部５１の代わりに目盛部５２が点滅するものであっても良い。このように構成したことによっても、前述した作用効果を得ることができる。
【００２７】
また、バーグラフ表示部５１と目盛部５２が同時に点滅表示することによって、点滅表示を行う面積が増えるので、表示面積が制限されていても、運転者の注意をより喚起することが可能な計器装置を提供することができる。
【００２８】
また、他の点滅表示として、図７、８で示すように、バーグラフ表示部５１が点灯し、目盛部５２が消灯した状態（図７）と、バーグラフ表示部５１が消灯し、目盛部５２が点灯した状態（図８）とを繰り返して、交互に点滅表示するものであってもよい。このように構成したことによって、点滅表示を行う面積が増えるとともに、交互に点滅表示することで、より表示に動きのある変化を与えることができ、表示面積が制限されていても、運転者の注意をより喚起することが可能な計器装置を提供することができる。
【００２９】
本実施例では、車両のエンジン冷却水温を表示する水温計５のように、表示面積に制限があるような表示であっても、運転者の注意をより喚起することが可能な計器装置を提供することができる。なお、水温計５に限定されるものではなく、車両の燃料の残量を表示する燃料残量計６に適用しても良い。燃料残量計６に適用した場合は、点灯するバーグラフ表示部６１のセグメントが燃料の残量が減っていくのに伴って消灯していき、燃料残量計６の「Ｅ」で側のセグメントと、一つ上のセグメントの都合２つのセグメントが点灯した時に、警告表示を行うこととなる。
【００３０】
また、本実施例では、表示部４に液晶表示素子を用いたことで、１つの素子で表示部４を形成でき、部品点数を削減し、安価な計器装置を提供することができるものである。また、表示部４に用いる表示素子としては、液晶表示素子に限定されるものではなく、有機エレクトロルミネセンスなどを用いても、同様に部品点数を削減することができ、さらに、有機エレクトロルミネセンスは、自ら発光するので、表示部４を照明する部品などを削減することができ、液晶表示素子より、さらに部品点数を削減することができる。
【図面の簡単な説明】
【００３１】
【図１】本発明の第１実施例の正面図。
【図２】同実施例の要部拡大正面図。
【図３】同実施例の駆動前の正面図。
【図４】同実施例の駆動時の正面図。
【図５】同実施例の警告表示時の正面図。
【図６】同実施例の警告表示時の正面図。
【図７】同実施例の他の警告表示時の正面図。
【図８】同実施例の他の警告表示時の正面図。
【符号の説明】
【００３２】
１      計器装置
２      エンジン回転計
３      速度計
４      表示部
５      水温計
６      燃料残量計
５１、６１  バーグラフ表示部
５２、６２  目盛部
５３、６３  記号
５４、６４  文字
【図１】
2006153719.tif 000003
【図２】
2006153719.tif 000004
【図３】
2006153719.tif 000005
【図４】
2006153719.tif 000006
【図５】
2006153719.tif 000007
【図６】
2006153719.tif 000008
【図７】
2006153719.tif 000009
【図８】
2006153719.tif 000010